(57)【要約】【課題】本発明は、簡易な構成で小型化したヘッドホンにおいて十分なノイズキャンセリング効果を発揮できるようにする。【解決手段】本発明は、右側マイクロフォンＭＣＲ（左側マイクロフォンＭＣＬ）によって集音されたノイズの雑音信号Ｓ１とは逆位相の雑音低減信号Ｓ２を生成し、これを右スピーカＳＰＲから出力することによりノイズを低減するための電気回路を具えた再生装置１２と接続されるヘッドホン１１であって、電気回路における電気特性のばらつきを再生装置１２側のゲイン調整部２５によって調整するのとは別に、右側マイクロフォンＭＣＲ（左側マイクロフォンＭＣＬ）及び右スピーカＳＰＲ（左スピーカＳＰＬ）による音響特性のばらつきだけを調整する半固定抵抗３５が、再生装置１２の電気回路と右スピーカＳＰＲ（左スピーカＳＰＬ）との間に設けられるようにする。【選択図】図３
2008092365.tif 000002
【特許請求の範囲】
【請求項１】
集音手段によって集音されたノイズの雑音信号とは逆位相の低減信号を生成し、これを音声出力手段から出力することにより上記ノイズを低減するための電気回路を具えた電子機器と接続されるヘッドホンであって、
上記電気回路における電気特性のばらつきを上記電子機器側で調整するのとは別に、上記集音手段及び上記音声出力手段による音響特性のばらつきだけを調整する調整手段が、上記電子機器の上記電気回路と上記音声出力手段との間に設けられている
ことを特徴とするヘッドホン。
【請求項２】
上記ヘッドホンでは、感度の高い上記集音手段と出力の低い上記音声出力手段とを組み合わせて用いるか、又は、感度の低い上記集音手段と出力の高い上記音声出力手段とを組み合わせて用いる
ことを特徴とする請求項１に記載のヘッドホン。
【請求項３】
集音手段及び音声出力手段を有するヘッドホンと、上記集音手段によって集音されたノイズの雑音信号とは逆位相の低減信号を生成し、これを上記音声出力手段から出力することにより上記ノイズを低減するための電気回路を有する電子機器とからなるノイズ低減処理システムであって、
上記電子機器には上記電気回路における電気特性のばらつきを調整する第１調整手段と、
上記ヘッドホンには上記集音手段及び上記音声出力手段による音響特性のばらつきを調整する第２調整手段と
を具えることを特徴とするノイズ低減処理システム。
【請求項４】
上記第２調整手段は、上記ヘッドホンのコード先端に設けられたプラグと、上記音声出力手段の筐体近傍に設けられた上記集音手段との間に配されている
ことを特徴とする請求項３に記載のノイズ低減処理システム。
【請求項５】
上記第２調整手段は、上記電子機器と上記ヘッドホンとを接続する接続コードの左右分岐点に配されている
ことを特徴とする請求項３に記載のノイズ低減処理システム。
【請求項６】
上記第１調整手段には、外部から調整可能な制御手段が設けられている
ことを特徴とする請求項３に記載のノイズ低減処理システム。
【請求項７】
上記ヘッドホンでは、感度の高い上記集音手段と出力の低い上記音声出力手段とを組み合わせて用いるか、又は、感度の低い上記集音手段と出力の高い上記音声出力手段とを組み合わせて用いる
ことを特徴とする請求項３に記載のノイズ低減処理システム。
【請求項８】
ヘッドホンの集音手段によって集音されたノイズの雑音信号とは逆位相の低減信号を電子機器の電気回路により生成し、これを上記ヘッドホンの音声出力手段から出力することにより上記ノイズを低減するノイズ低減処理方法であって、
上記電子機器に設けられた第１調整手段により上記電気回路における電気特性のばらつきを調整する第１調整ステップと、
上記ヘッドホンに設けられた第２調整手段により上記集音手段及び上記音声出力手段による音響特性のばらつきを調整する第２調整ステップと
を具えることを特徴とするノイズ低減処理方法。
【請求項９】
所定の電子機器に対して、
ヘッドホンの集音手段によって集音されたノイズの雑音信号とは逆位相の低減信号を電気回路によって生成する低減信号生成ステップと、
上記電気回路における電気特性のばらつきを第１調整手段によって調整する第１調整ステップと、
上記第１調整ステップで上記電気回路のばらつきが調整された結果得られる上記低減信号を上記ヘッドホンの音声出力手段から出力することにより上記ノイズを低減するノイズ低減ステップと
を実行させることを特徴とするノイズ低減処理プログラム。
【発明の詳細な説明】
【技術分野】
【０００１】
本発明は、ヘッドホン、ノイズ低減処理システム、ノイズ低減処理方法及びノイズ低減処理プログラムに関し、例えばイヤホン等を含むヘッドホンのノイズキャンセリングを行う場合に適用して好適なものである。
【背景技術】
【０００２】
従来、使用者の周囲の騒音を集音し、その騒音に対して逆位相の音を生成してヘッドホンのドライバーユニットから出力することにより、周囲の騒音を低減させた状態でユーザに聴取させる、いわゆるノイズキャンセリングヘッドホンが提案されている（例えば、特許文献１参照）。
【特許文献１】特開2002-330485公報
【発明の開示】
【発明が解決しようとする課題】
【０００３】
ところでかかる構成のノイズキャンセリングヘッドホンにおいては、ヘッドホンのハウジング部内にノイズキャンセリング処理を行うための電気回路が設けられており、ヘッドホンを小型化することが困難であるという問題があった。
【０００４】
本発明は以上の点を考慮してなされたもので、簡易な構成で小型化した使い勝手の良いヘッドホン、ノイズ低減処理システム、ノイズ低減処理方法及びノイズ低減処理プログラムを提案しようとするものである。
【課題を解決するための手段】
【０００５】
かかる課題を解決するため本発明においては、集音手段によって集音されたノイズの雑音信号とは逆位相の低減信号を生成し、これを音声出力手段から出力することによりノイズを低減するための電気回路を具えた電子機器と接続されるヘッドホンであって、電気回路における電気特性のばらつきを電子機器側で調整するのとは別に、集音手段及び音声出力手段による音響特性のばらつきだけを調整する調整手段が、電子機器の電気回路と音声出力手段との間に設けられている。
【０００６】
これにより、ヘッドホンとしては集音手段及び音声出力手段による音響特性のばらつきを調整するための調整手段だけを設ければよいので小型化し得ると共に、電子機器の電気回路とヘッドホンの音声出力手段との間に設けられた調整手段が調整されたとき、結果的に電子機器及びヘッドホン全体のばらつきが吸収されるので、ノイズ低減効果を高めることができる。
【０００７】
また本発明においては、集音手段及び音声出力手段を有するヘッドホンと、集音手段によって集音されたノイズの雑音信号とは逆位相の低減信号を生成し、これを音声出力手段から出力することによりノイズを低減するための電気回路を有する電子機器とからなるノイズ低減処理システムであって、電子機器には電気回路における電気特性のばらつきを調整する第１調整手段と、ヘッドホンには集音手段及び音声出力手段による音響特性のばらつきを調整する第２調整手段とを設けるようにする。
【０００８】
これにより、電子機器の電気特性とヘッドホンの音響特性とをそれぞれ個別に調整することが出来るので、任意の電子機器と任意のヘッドホンとが組み合わされたときであっても、十分なノイズ低減効果を得ることができる。
【発明の効果】
【０００９】
本発明によれば、ヘッドホンとしては集音手段及び音声出力手段による音響特性のばらつきを調整するための調整手段だけを設ければよいので小型化し得ると共に、電子機器の電気回路とヘッドホンの音声出力手段との間に設けられた調整手段が調整されたとき、結果的に電子機器及びヘッドホン全体のばらつきが吸収されるので、ノイズ低減効果を高めることができ、かくして簡易な構成で小型化した使い勝手の良いヘッドホンを実現することができる。
【００１０】
また本発明によれば、電子機器の電気特性とヘッドホンの音響特性とをそれぞれ個別に調整することが出来るので、任意の電子機器と任意のヘッドホンとが組み合わされたときであっても、十分なノイズ低減効果を得ることができ、かくして簡易な構成で使い勝手の良いノイズ低減処理システムを実現することができる。
【発明を実施するための最良の形態】
【００１１】
以下、図面について、本発明の一実施の形態を詳述する。
【００１２】
（１）ノイズキャンセリングの基本原理
ここでは、最初にノイズキャンセリングの基本原理を説明する。ユーザの耳近傍に位置するマイクロフォン１によって外部のノイズＮＺを集音し、そのノイズＮＺに応じた雑音信号Ｓ１をフィルタ２へ送出する。
【００１３】
フィルタ２は、雑音信号Ｓ１の位相を反転することにより逆位相の雑音低減信号Ｓ２を生成し、これを加算器３を介してアンプ４へ送出する。アンプ４は、ノイズＮＺを打ち消すために雑音低減信号Ｓ２の振幅レベルをノイズＮＺの振幅レベルに合わせるように増幅し、その結果得られる雑音低減信号Ｓ３に応じた音をスピーカ５から出力することにより、ユーザに聴取されるべきノイズＮＺを低減し得るようになされている。
【００１４】
なお、音源６から供給される音楽再生信号Ｓ４は、加算器３で雑音低減信号Ｓ２と合成され、その合成結果である合成信号Ｓ５がスピーカ５から出力されることになり、ユーザにとっては周囲のノイズＮＺだけが低減されたクリアな再生音を聴取し得るようになされている。
【００１５】
（２）ノイズキャンセリングシステム
次に、上述したノイズキャンセリングの原理を用いたノイズキャンセリングシステムについて説明する。
【００１６】
（２−１）ノイズキャンセリングシステムの全体構成
図２に示すように、１０は全体として本発明のノイズ低減処理システムを実現する一実施の形態におけるノイズキャンセリングシステムを示し、ヘッドホン１１と再生装置１２とから構成されている。
【００１７】
ヘッドホン１１は、一方側に右スピーカ部１３Ｒ及び左スピーカ部１３Ｌを有し、その右スピーカ部１３Ｒ及び左スピーカ部１３Ｌにおける右スピーカＳＰＲ及び左スピーカＳＰＬの筐体部分表面には周囲のノイズ集音用の右側マイクロフォンＭＣＲ及び左側マイクロフォンＭＣＬが設けられている。
【００１８】
またヘッドホン１１は、当該ヘッドホン１１と再生装置１２とを接続する接続コード１５を有し、接続コード１５のうち右スピーカ部１３Ｒ、左スピーカ部１３Ｌへ分岐する箇所に例えば樹脂製でなる所定サイズの分岐部１４が形成されており、ヘッドホン１１がユーザに装着された際、その分岐部１４がユーザの胸元近傍に位置するようになされている。
【００１９】
更にヘッドホン１１は、右スピーカ部１３Ｒ及び左スピーカ部１３Ｌを有する一方側とは対極の他方側に、接続コード１５のプラグ１６が設けられており、プラグ１６が再生装置１２のジャック（図示せず）に差し込まれることにより、ヘッドホン１１と再生装置１２とが機械的及び電気的に接続されることになり、ノイズキャンセリングシステム１０を構成し得るようになされている。
【００２０】
再生装置１２は、音楽データの記録媒体として例えばハードディスクが用いられた構造の携帯型音楽プレーヤであり、その筐体１２Ａの表面内側に例えばＦＬ(Fluorescent Lamp)管等でなる表示部１７が設けられ、かつ筐体１２Ａの表面に再生、停止、その他の命令を入力するための各種操作ボタン１８が配置された構成を有している。
【００２１】
（２−２）ノイズキャンセリングシステムの回路構成
図３に示すように、ノイズキャンセリングシステム１０は、ヘッドホン１１における接続コード１５のプラグ１６と再生装置１２のジャック２１とが電気的に接続された構成を有している。
【００２２】
具体的には、互いに対抗するプラグ１６の端子Ｔ１〜Ｔ３と、ジャック２１の端子Ｔ４〜Ｔ６とが接続されることにより、ヘッドホン１１と再生装置１２とが機械的及び電気的に結合され、ノイズキャンセリングシステム１０が構築されることになる。
【００２３】
すなわち本発明におけるノイズキャンセリングシステム１０では、ヘッドホン１１と再生装置１２とが電気的に接続された状態で初めて機能し、ヘッドホン１１若しくは再生装置１２単独ではノイズキャンセリングシステムとして機能することはない。
【００２４】
なお、この場合、ヘッドホン１１の右スピーカ部１３Ｒに対するノイズキャンセリング処理の流れを説明し、左スピーカ部１３Ｌに対するノイズキャンセリング処理については便宜上その説明を省略するが、いずれにおいても同様の処理が行われる。
【００２５】
ヘッドホン１１は、右側マイクロフォンＭＣＲ（左側マイクロフォンＭＣＬ）によって周囲のノイズを集音し、その結果得られる雑音信号Ｓ１を端子Ｔ３及びＴ４を介して再生装置１２のフィルタ２２へ送出する。
【００２６】
再生装置１２は、フィルタ２２、マイクロフォンアンプ２３、加算器２７、ヘッドホンアンプ２８、再生処理部２９、表示部１７、操作ボタン１８及びＣＰＵ(Central Processing Unit)構成の制御部３３によって構成されており、当該制御部３３がＲＯＭから読み出した基本プログラム及びアプリケーションプログラムに従って全体を統括制御すると共に、各種処理を実行するようになされている。
【００２７】
フィルタ２２は、雑音信号Ｓ１の位相を反転することにより逆位相の雑音低減信号Ｓ２を生成し、これをマイクロフォンアンプ２３へ送出する。
【００２８】
マイクロフォンアンプ２３は、増幅部２６によって雑音低減信号Ｓ２の信号レベルを所定レベルに増幅し、その結果得られる雑音低減信号Ｓ３を、加算器２７を介してヘッドホンアンプ２８へ送出する。
【００２９】
このとき再生装置１２は、再生処理部２９のフラッシュメモリ３１から再生した音楽データＤ１をディジタルアナログ変換器３２によりアナログの音楽再生信号Ｓ４に変換し、これを加算器２７により雑音低減信号Ｓ３と加算することにより合成信号Ｓ５を生成し、ヘッドホンアンプ２８へ送出する。
【００３０】
ヘッドホンアンプ２８は、合成信号Ｓ５に対して増幅処理することにより、雑音信号Ｓ１の信号レベルと同程度の振幅レベルにまで増幅し、その結果得られる合成信号Ｓ６をジャック２１の端子Ｔ５及びヘッドホン１１におけるプラグ１６の端子Ｔ２を介して右スピーカＳＰＲ（左スピーカＳＰＬ）へ出力することにより、雑音信号Ｓ１を相殺したノイズのない再生音声だけを右スピーカＳＰＲ（左スピーカＳＰＬ）からユーザへ聴取させるようになされている。
【００３１】
ところで再生装置１２は、マイクロフォンアンプ２３に設けられたゲイン調整部２５に対して、制御部３３によりディジタル的に増幅部２６のゲインを調整し得るようになされているが、ゲイン調整部２５を介してゲイン調整処理を行えば、結果的に増幅部２６及びヘッドホンアンプ２８における電気特性（ゲイン）のバラツキを吸収し得、再生装置１２から出力される合成信号Ｓ５の利得を一定にするようになされている。
【００３２】
なお再生装置１２は、工場製造時において、作業者が制御部３３を介してゲイン調整部２５により直接ゲイン調整し、合成信号Ｓ５の利得を一定にした状態で出荷するようになされているが、その後は、購入者のユーザが表示部１７を目視しながら操作ボタン１８を介して増幅部２６及びヘッドホンアンプ２８における電気特性のバラツキを微調整し得るようになされている。
【００３３】
一方、ヘッドホン１１は、再生装置１２のヘッドホンアンプ２８と、右スピーカＳＰＲ（左スピーカＳＰＬ）のコイルＬ１との間に半固定抵抗３５が設けられており、工場製造時において、当該半固定抵抗３５をネジ等で調整することにより、右スピーカＳＰＲ（左スピーカＳＰＬ）の音響特性及び右側マイクロフォンＭＣＲ（左側マイクロフォンＭＣＬ）の感度特性に対するバラツキを調整し吸収し得るようになされている。
【００３４】
なお、以降の説明では、便宜上、右スピーカＳＰＲ（左スピーカＳＰＬ）の音響特性及び右側マイクロフォンＭＣＲ（左側マイクロフォンＭＣＬ）の感度特性のことを、右スピーカＳＰＲ（左スピーカＳＰＬ）及び右側マイクロフォンＭＣＲ（左側マイクロフォンＭＣＬ）による音響特性と呼ぶ。
【００３５】
但し、ヘッドホン１１は、半固定抵抗３５の調整値をその後のユーザに対して調整させることがないようにネジの上からステッカーを貼る等して封印し、その後に不用意に調整値が変更されてしまうことがないように考慮されている。
【００３６】
このように、再生装置１２におけるマイクロフォンアンプ２３のゲイン調整部２５は、増幅部２６及びヘッドホンアンプ２８における電気特性（ゲイン）のバラツキを調整し吸収し得る一方、ヘッドホン１１の半固定抵抗３５は、右スピーカＳＰＲ（左スピーカＳＰＬ）及び右側マイクロフォンＭＣＲ（左側マイクロフォンＭＣＬ）による音響特性に対するバラツキを調整し吸収し得るようになされており、ノイズキャンセリングシステム１０では、それぞれの役割を分担させるようになされている。
【００３７】
なおヘッドホン１１の半固定抵抗３５は、右側マイクロフォンＭＣＲ（左側マイクロフォンＭＣＬ）、マイクロフォンアンプ２３、ヘッドホンアンプ２８及び右スピーカＳＰＲ（左スピーカＳＰＬ）の接続経路中であって、ヘッドホンアンプ２８と右スピーカＳＰＲ（左スピーカＳＰＬ）との間に設けられているため、工場製造時に半固定抵抗３５が調整された場合、結果的に再生装置１２とヘッドホン１１とにおける全体のバラツキを吸収し得るようになされている。
【００３８】
従ってノイズキャンセリングシステム１０としては、ヘッドホン１１の半固定抵抗３５を介して再生装置１２とヘッドホン１１とにおける全体のバラツキを調整することになるため、再生装置１２におけるフィルタ２２のバラツキや、ヘッドホン１１における右スピーカ部１３Ｒ及び左スピーカ部１３Ｌの音響特性に影響を与える筐体形状のバラツキをも結果的に吸収し得るようになされている。
【００３９】
（２−３）半固定抵抗の配置場所
ところで、図４に示すようにヘッドホン１１では、接続コード１５のうち右スピーカ部１３Ｒと左スピーカ部１３Ｌとの左右分岐点である分岐部１４の内部に半固定抵抗３５を配置するようになされている。
【００４０】
これは分岐部１４が、接続コード１５の先端に設けられたプラグ１６と、右スピーカＳＰＲ及び左スピーカＳＰＬの筐体部分表面に設けられた右側マイクロフォンＭＣＲ又は左側マイクロフォンＭＣＬとの間であって、プラグ１６側寄りの位置であれば、工場製造段階で作業者が半固定抵抗３５を調整するときに発生するノイズ等の影響を受けることがないように考えられたからである。
【００４１】
またヘッドホン１１は、ヘッドホン１１の装着時に分岐部１４が作業者の胸元に位置するようになされている関係上、半固定抵抗３５に対する作業者の操作性をも向上させ得るようになされている。
【００４２】
（２−４）マイクロフォンとスピーカとの組み合わせ
ところでヘッドホン１１は、右側マイクロフォンＭＣＲ、左側マイクロフォンＭＣＬと右スピーカＳＰＲ、左スピーカＳＰＬとが必要であるが、これらの各素子もそれぞれ感度のバラツキを持っている。
【００４３】
例えば図５に示すように、０[dB]〜５[dB]程度の感度バラツキを有するマイクロフォンＭＣ１と、５[dB]〜１０[dB]程度の感度バラツキを有するマイクロフォンＭＣ２とがあり、また０[dB]〜５[dB]程度の出力バラツキを有するスピーカＳＰ１と、５[dB]〜１０[dB]程度の出力バラツキを有するスピーカＳＰ２とがある場合、ヘッドホン１１を構成するため、これらのマイクロフォンＭＣ１、ＭＣ２、スピーカＳＰ１、ＳＰ２の中から２つの素子を選択しなければならない。
【００４４】
そのとき、ヘッドホン１１の半固定抵抗３５の調整範囲が１５[dB]程度であった場合、ヘッドホン１１を構成するために、破線で示すように、無作為に感度の高いマイクロフォンＭＣ２と出力の高いスピーカＳＰ２とが組み合わされた場合、図６（Ａ）に示すように、最大調整範囲が２０[dB]にまで拡大され、半固定抵抗３５で調整可能な範囲（１５[dB]）を超えてしまう。
【００４５】
一方、一点鎖線で示すように、感度の低いマイクロフォンＭＣ１と出力の低いスピーカＳＰ１とが組み合わされた場合、その最大調整範囲は最大１０[dB]程度になるため、半固定抵抗３５の調整範囲内で収まることになる。
【００４６】
しかしながら、そのような感度の低いマイクロフォンＭＣ１と出力の低いスピーカＳＰ１とだけを組合せてヘッドホン１１を構成しなければならないとすると、ヘッドホン１１に用いる素子の選択自由度が狭くなり、コストアップ及び歩留まりの低下につながることになる。
【００４７】
そこで、このヘッドホン１１では、半固定抵抗３５の調整範囲内でかつ歩留まりの向上を図るべく、図５に示したように、感度の低いマイクロフォンＭＣ１と出力の高いスピーカＳＰ２との組合せや、感度の高いマイクロフォンＭＣ２と出力の低いスピーカＳＰ１とを組合せるように、その組み合わせパターンを考慮することにより、図６（Ｂ）に示すように、最大調整範囲が５[dB]〜１５[dB]にまで拡大され、半固定抵抗３５で調整可能な範囲（１５[dB]）内に収まることになる。
【００４８】
従って、ヘッドホン１１では、感度の低いマイクロフォンＭＣ１と出力の高いスピーカＳＰ２とを組合せたり、感度の高いマイクロフォンＭＣ２と出力の低いスピーカＳＰ１とを組合せることにより、半固定抵抗３５によってスピーカＳＰ１、ＳＰ２の音響特性及びマイクロフォンＭＣ１、ＭＣ２の感度特性に対するバラツキを調整し吸収し得ると共に、素子選択の幅を広げて歩留まりを大幅に向上させ得るようになされている。
【００４９】
実際上、ヘッドホン１１では、例えば、感度の低い右側マイクロフォンＭＣＲ（左側マイクロフォンＭＣＬ）と、出力の高い右スピーカＳＰＲ（左スピーカＳＰＬ）とが組合せられたり、感度の高い右側マイクロフォンＭＣＲ（左側マイクロフォンＭＣＬ）と、出力の低い右スピーカＳＰＲ（左スピーカＳＰＬ）とが組合せられるように考慮された構成を有するようになされている。
【００５０】
（３）動作及び効果
以上の構成において、ノイズキャンセリングシステム１では、再生装置１２の増幅部２６及びヘッドホンアンプ２８における電気特性（ゲイン）についてはマイクロフォンアンプ２３のゲイン調整部２５によってそのバラツキを調整し吸収させると共に、ヘッドホン１１の右側マイクロフォンＭＣＲ（左側マイクロフォンＭＣＬ）及び右スピーカＳＰＲ（左スピーカＳＰＬ）の音響特性については半固定抵抗３５によってそのバラツキを調整し吸収させるように役割を分担する。
【００５１】
これにより再生装置１２では、ゲイン調整部２５を介して増幅部２６及びヘッドホンアンプ２８における電気特性（ゲイン）を調整することにより、当該再生装置１２から出力する合成信号Ｓ６の利得を一定にすることができる。
【００５２】
またヘッドホン１１では、右側マイクロフォンＭＣＲ（左側マイクロフォンＭＣＬ）及び右スピーカＳＰＲ（左スピーカＳＰＬ）の音響特性に対するバラツキを半固定抵抗３５によって調整することができる。
【００５３】
これにより製造者は、大量生産する複数のヘッドホン１１毎のバラツキを無くし、その音響特性を全て均一化することができる。
【００５４】
従ってノイズキャンセリングシステム１０では、任意の再生装置１２と任意のヘッドホン１１とを組合せて多数製造する場合であっても、個々のノイズキャンセリングシステム１０毎にノイズキャンセリング性能が異なる事態を回避し、同等のノイズキャンセリング状態に設定し出荷することができる。
【００５５】
またノイズキャンセリングシステム１０は、製造時、ヘッドホン１１と再生装置１２とを接続した状態で、ヘッドホン１１の半固定抵抗３５を調整すれば、結果的に再生装置１２及びヘッドホン１１による全体のバラツキを吸収することができる。従って製造者にとっては、多数製造する個々のノイズキャンセリングシステム１０に対するノイズキャンセリング状態を完全均一化させることが出来る。
【００５６】
更にノイズキャンセリングシステム１０では、増幅部２６及びヘッドホンアンプ２８に対する電気特性を調整するためのゲイン調整部２５を再生装置１２内に設け、かつ右側マイクロフォンＭＣＲ（左側マイクロフォンＭＣＬ）及び右スピーカＳＰＲ（左スピーカＳＰＬ）の音響特性に対するバラツキを調整するための半固定抵抗３５をヘッドホン１１の分岐部１４内に設けるようにしたことにより、右スピーカ部１３Ｒ及び左スピーカ部１３Ｌを大型化せずに済むと同時に、システム全体としてもノイズキャンセル処理要素の存在を見かけ上なくすことができる。
【００５７】
なおノイズキャンセリングシステム１は、再生装置１２に対して他のユーザが所持するヘッドホン１１が接続されたような場合、その組み合わせで必ずしもノイズキャンセリング効果が最適にならないことがある。
【００５８】
そのような場合であっても、ノイズキャンセリングシステム１０では、再生装置１２の操作ボタン１８を介して制御部３３経由によりマイクロフォンアンプ２３のゲイン調整部２５をユーザに微調整させ得るようにしたことにより、ヘッドホン１１と再生装置１２との組合せが製造出荷時と変化しても、最大限のノイズキャンセリング効果を発揮させることができる。
【００５９】
以上の構成によれば、簡易な構成で大型化することなく常にノイズキャンセリング効果を十分に発揮し得る使い勝手の良いノイズキャンセリングシステム１０を実現することができる。
【００６０】
（４）他の実施の形態
なお上述の実施の形態においては、一般的なヘッドホン１１を用いるようにした場合について述べたが、本発明はこれに限らず、耳掛け式ヘッドホン、インナーイヤー式ヘッドホン、ヘッドバンド付きヘッドホン、ネックバンド式ヘッドホン等のその他種々の形状及び構造でなるヘッドホンや、イヤホン等を用いるようにしても良い。
【００６１】
また上述の実施の形態においては、半固定抵抗３５を分岐部１４に設けるようにした場合について述べたが、本発明はこれに限らず、分岐部１４内に設けた場合と同様の効果を期待するのであれば、調整時にノイズ等の影響を受けることがない接続コードのプラグ１６内に半固定抵抗３５を設けたり、或いは、分岐部１４内に設けた場合と同様の効果を期待しないのであれば、右スピーカ部１３Ｒ及び左スピーカ部１３Ｌの筐体部内に半固定抵抗３５を設けるようにしても良い。
【００６２】
さらに上述の実施の形態においては、ノイズキャンセリングシステム１０を構成する電子機器として再生装置１２を用いるようにした場合について述べたが、本発明はこれに限らず、再生装置１２の代わりに記録再生装置やラジオ受信機を用いたり、再生処理部２９とは別体構成のアンプ装置を用いるようにしても良い。
【００６３】
さらに上述の実施の形態においては、フィルタ２２、マイクロフォンアンプ２３、加算器２７及びヘッドホンアンプ２８をハードウェアとして設け、これらを用いてノイズキャンセリング処理を実行するようにした場合について述べたが、本発明はこれに限らず、フィルタ２２、マイクロフォンアンプ２３、加算器２７及びヘッドホンアンプ２８を制御部３３によりソフトウェア的に設け、当該制御部３３がＲＯＭから読み出したノイズ低減処理プログラム等のアプリケーションプログラムによってノイズキャンセリング処理を実行するようにしても良い。
【００６４】
因みに、制御部３３は、ノイズ低減処理プログラムをＲＯＭから読み出して実行するだけではなく、記録媒体からインストールしたノイズ低減処理プログラムや、インターネットからダウンロードしたノイズ低減処理プログラムに従ってノイズキャンセリング処理を実行することができる。
【００６５】
さらに上述の実施の形態においては、電子機器としての再生装置１２にはマイクロフォンアンプ２３内に第１調整手段としてのゲイン調整部２６を設け、ヘッドホン１１には調整手段及び第２調整手段としての半固定抵抗３５を右スピーカＳＰＲ（左スピーカＳＰＬ）の前段に設けるようにした場合について述べたが、本発明はこれに限らず、同様の調整効果を得ることが出来るのであれば、ゲイン調整部２５を増幅部２６の後段に設けたり、半固定抵抗３５を右スピーカＳＰＲ（左スピーカＳＰＬ）の後段に設ける等、その他種々の場所に設けるようにしても良い。
【産業上の利用可能性】
【００６６】
本発明のヘッドホン、ノイズ低減処理システム、ノイズ低減処理方法及びノイズ低減処理プログラムは、例えば再生装置１２に相当する電子機器が車両や飛行機等に固定された移動体用のノイズキャンセリングシステムに適用することができる。
【図面の簡単な説明】
【００６７】
【図１】ノイズキャンセリングの基本原理の説明に供する略線的ブロック図である。
【図２】一実施の形態におけるノイズキャンセリングシステムの全体構成を示す略線的外観図である。
【図３】一実施の形態におけるノイズキャンセリングシステムの回路構成を示す略線的ブロック図である。
【図４】半固定抵抗の配置場所を示す略線図である。
【図５】マイクロフォンとスピーカとの組合せパターンを示す略線図である。
【図６】マイクロフォンとスピーカとを所定の組合せパターンで組み合わせたときのバラツキの変化を示す略線図である。
【符号の説明】
【００６８】
１、ＭＣ１、ＭＣ２……マイクロフォン、２、２２……フィルタ、３、２７……加算器、４……アンプ、５、ＳＰ１、ＳＰ２……スピーカ、６……音源、１０……ノイズキャンセリングシステム、１１……ヘッドホン、１２……再生装置、１３Ｒ……右スピーカ部、１３Ｌ……左スピーカ部、ＭＣＲ……右側マイクロフォン、ＭＣＬ……左側マイクロフォン、ＳＰＲ……右スピーカ、ＳＰＬ……左スピーカ、１４……分岐部、１５……接続コード、１６……プラグ、１７……表示部、１８……操作ボタン、２１……ジャック、２３……マイクロフォンアンプ、２５……ゲイン調整部、２６……増幅部、２８……ヘッドホンアンプ、２９……再生処理部、３１……フラッシュメモリ、３２……ディジタルアナログ変換器、３３……制御部、３５……半固定抵抗。
【図１】
2008092365.tif 000003
【図２】
2008092365.tif 000004
【図３】
2008092365.tif 000005
【図４】
2008092365.tif 000006
【図５】
2008092365.tif 000007
【図６】
2008092365.tif 000008